(57)【特許請求の範囲】
【請求項１】
ネットワークと接続して通信する通信手段と、
Ｗｅｂページデータを記憶するＷｅｂデータ記憶手段と、
前記通信手段によるネットワークとの非接続通信状態において、前記Ｗｅｂデータ記憶手段により記憶されたＷｅｂページを表示させるＷｅｂページ閲覧手段と、
このＷｅｂページ閲覧手段によるＷｅｂページの表示閲覧中に、他のＷｅｂページへのリンク情報が指定されたことを判断するリンク指定判断手段と、
このリンク指定判断手段により他のＷｅｂページへのリンク情報が指定されたと判断された場合に、当該指定のリンク情報に対応するＷｅｂページデータが前記Ｗｅｂデータ記憶手段により記憶されているか否かを判断するリンクページ判断手段と、
このリンクページ判断手段により前記指定のリンク情報に対応するＷｅｂページデータが前記Ｗｅｂデータ記憶手段により記憶されてないと判断された場合に、当該Ｗｅｂページデータを取得するか否かを装置ユーザに確認するユーザ確認手段と、
このユーザ確認手段により前記指定のリンク情報に対応するＷｅｂページデータを取得することが装置ユーザに確認された場合に、当該取得対象のＷｅｂページデータに対応するファイル名を装置ユーザに入力させるファイル名入力手段と、
このファイル名入力手段により入力されたファイル名と共に当該指定のリンク情報を記憶する指定リンク情報記憶手段と、
前記通信手段によるネットワークとの接続通信状態において、前記指定リンク情報記憶手段により記憶されたリンク情報に対応するＷｅｂページデータを取得し前記Ｗｅｂデータ記憶手段により記憶する未取得Ｗｅｂページ取得手段と、
を備えたことを特徴とする情報端末装置。
【請求項２】
前記Ｗｅｂページ閲覧手段は、前記通信手段によるネットワークとの非接続通信状態において、前記Ｗｅｂデータ記憶手段により記憶されたＷｅｂページの一覧を表示するＷｅｂページ一覧表示手段を有し、このＷｅｂページ一覧表示手段によるＷｅｂページの一覧表示の中から選択されたＷｅｂページを表示させることを特徴とする請求項１に記載の情報端末装置。
【請求項３】
情報端末装置のコンピュータを制御してＷｅｂ情報をダウンロードするためのダウンロード処理プログラムであって、
前記コンピュータを、
ネットワークと接続して通信する通信手段、
Ｗｅｂページデータを記憶するＷｅｂデータ記憶手段、
前記通信手段によるネットワークとの非接続通信状態において、前記Ｗｅｂデータ記憶手段により記憶されたＷｅｂページを表示させるＷｅｂページ閲覧手段、
このＷｅｂページ閲覧手段によるＷｅｂページの表示閲覧中に、他のＷｅｂページへのリンク情報が指定されたことを判断するリンク指定判断手段、
このリンク指定判断手段により他のＷｅｂページへのリンク情報が指定されたと判断された場合に、当該指定のリンク情報に対応するＷｅｂページデータが前記Ｗｅｂデータ記憶手段により記憶されているか否かを判断するリンクページ判断手段、
このリンクページ判断手段により前記指定のリンク情報に対応するＷｅｂページデータが前記Ｗｅｂデータ記憶手段により記憶されてないと判断された場合に、当該Ｗｅｂページデータを取得するか否かを装置ユーザに確認するユーザ確認手段、
このユーザ確認手段により前記指定のリンク情報に対応するＷｅｂページデータを取得することが装置ユーザに確認された場合に、当該取得対象のＷｅｂページデータに対応するファイル名を装置ユーザに入力させるファイル名入力手段、
このファイル名入力手段により入力されたファイル名と共に当該指定のリンク情報を記憶する指定リンク情報記憶手段、
前記通信手段によるネットワークとの接続通信状態において、前記指定リンク情報記憶手段により記憶されたリンク情報に対応するＷｅｂページデータを取得し前記Ｗｅｂデータ記憶手段により記憶する未取得Ｗｅｂページ取得手段、
として機能させるようにしたコンピュータ読み込み可能なダウンロード処理プログラム。
【発明の詳細な説明】
【０００１】
【発明の属する技術分野】
本発明は、Ｗｅｂページをダウンロードして閲覧するための情報端末装置及びそのダウンロード処理プログラムに関する。
【０００２】
【従来の技術】
一般に、インターネット上のＷｅｂサイトにて提供されるＷｅｂページを閲覧するには、所望のＷｅｂサイトにオンラインアクセスしながらそのＷｅｂページを取り込んで（ダウンロードして）表示させるか、あるいはこのサイトアクセスに伴い取り込んだＷｅｂページデータを保存しておき、この保存されたＷｅｂページデータをオフラインのままその保存の範囲内で表示させることが行われる。
【０００３】
近年、パームサイズＰＣやＰＤＡにあるように、モバイル型の情報端末装置によって場所や時間を選ばずＷｅｂページデータを取得して閲覧することが可能となっているが、無線ＬＡＮやホットスポットを利用したブルートゥースなどの近距離無線接続によってインターネットにアクセスする場合に通信可能エリア外に移動したり、あるいは通信料金を抑えるために自発的に接続を切ったりするなどして、Ｗｅｂアクセスは断続的にならざるを得ない。
【０００４】
【発明が解決しようとする課題】
このため、インターネットに接続中あるいは接続可能な状態では、所望のＷｅｂページへ容易にアクセスし閲覧することが可能であるが、通信可能エリア外に移動しているときや通信を遮断しているときに、閲覧中のＷｅｂページ上で指定したリンク先のページが保存されていない場合は、当該リンク先Ｗｅｂページへのアクセス操作をその都度通信可能にしてやり直さなければならず、非常に面倒な問題がある。
【０００５】
本発明は、前記のような問題に鑑みてなされたもので、オフラインでのＷｅｂページ閲覧中に、リンク先Ｗｅｂページが保存されてない場合でも、ユーザにストレスを与えることなく、指定のリンク先Ｗｅｂページを取得して閲覧することが可能になる情報端末装置及びそのダウンロード処理プログラムを提供することを目的とする。
【０００６】
【課題を解決するための手段】
すなわち、本発明に係る情報端末装置は、ネットワークと接続して通信する通信手段と、Ｗｅｂページデータを記憶するＷｅｂデータ記憶手段と、前記通信手段によるネットワークとの非接続通信状態において、前記Ｗｅｂデータ記憶手段により記憶されたＷｅｂページを表示させるＷｅｂページ閲覧手段と、このＷｅｂページ閲覧手段によるＷｅｂページの表示閲覧中に、他のＷｅｂページへのリンク情報が指定されたことを判断するリンク指定判断手段と、このリンク指定判断手段により他のＷｅｂページへのリンク情報が指定されたと判断された場合に、当該指定のリンク情報に対応するＷｅｂページデータが前記Ｗｅｂデータ記憶手段により記憶されているか否かを判断するリンクページ判断手段と、このリンクページ判断手段により前記指定のリンク情報に対応するＷｅｂページデータが前記Ｗｅｂデータ記憶手段により記憶されてないと判断された場合に、当該Ｗｅｂページデータを取得するか否かを装置ユーザに確認するユーザ確認手段と、このユーザ確認手段により前記指定のリンク情報に対応するＷｅｂページデータを取得することが装置ユーザに確認された場合に、当該取得対象のＷｅｂページデータに対応するファイル名を装置ユーザに入力させるファイル名入力手段と、このファイル名入力手段により入力されたファイル名と共に当該指定のリンク情報を記憶する指定リンク情報記憶手段と、前記通信手段によるネットワークとの接続通信状態において、前記指定リンク情報記憶手段により記憶されたリンク情報に対応するＷｅｂページデータを取得し前記Ｗｅｂデータ記憶手段により記憶する未取得Ｗｅｂページ取得手段と、を備えたことを特徴とする。
【０００８】
【発明の実施の形態】
以下、図面を参照して本発明の実施の形態について説明する。
【０００９】
図１は、本発明の情報端末装置の実施形態に係るＷｅｂページダウンロード端末１０の外観構成を示す図である。
【００１０】
このダウンロード端末１０の本体ケース１は、ユーザが片手で把持できる程度の箱形の筐体からなり、この本体ケース１の正面には、キー入力部（キー入力装置）２及び表示部（表示装置）３が備えられる。
【００１１】
そして、この表示部（表示装置）３の表示画面上には透明のタブレット装置４が重ねて設けられ、このタブレット装置４を表示内容に従いタッチ操作することで、そのタッチ位置が検出されて操作内容が判断され、この操作内容に応じた処理が実行される。
【００１２】
キー入力部（キー入力装置）２には、電源のＯＮ／ＯＦＦを操作するためのＯＮ（電源）キー２ａ、動作モードの切り換えを操作するためのモードキー２ｂ、表示画面上にあるポインタの移動を操作するためのポインタキー２ｃ、選択内容の決定や実行を指示するための選択／実行キー２ｄなどの種々の機能キーが設けられる。
【００１３】
また、この本体ケース１の上側面には、カードスロット５が備えられ、このカードスロット５には、無線ＬＡＮや公衆電話回線に無線接続を図るための通信カード６や新たなプログラムやファイルのインストールを図るためのＲＯＭカード（図示せず）などが必要に応じて着脱される。
【００１４】
図２は前記Ｗｅｂページダウンロード端末１０の電子回路の構成を示すブロック図である。
【００１５】
このダウンロード端末１０は、各種（ＲＯＭカードなど）の記録媒体に記録されたプログラム、又は、通信カード６を介した外部とのデータ通信によって伝送されたプログラムを読み込んで、その読み込んだプログラムによって動作が制御されるコンピュータによって構成され、その電子回路には、ＣＰＵ１１が備えられる。
【００１６】
ＣＰＵ１１は、ＥＥＰ−ＲＯＭなどの記憶装置１２に予め記憶された端末制御プログラム、あるいはＲＯＭカードなどの外部記録媒体からカードスロット５を介して前記記憶装置１２に読み込まれた端末制御プログラム、あるいは通信カード６によって接続されるインターネットなどの通信ネットワークＮ上の他のコンピュータ端末からカードスロット５を介して前記記憶装置１２に読み込まれた端末制御プログラムに応じて、回路各部の動作を制御するもので、前記記憶装置１２に記憶された端末制御プログラムは、キー入力装置２やタブレット装置４からのユーザ操作に応じた入力信号、あるいは通信カード６を介して受信される通信ネットワークＮ上の他のコンピュータ端末からの信号に応じて起動される。
【００１７】
前記ＣＰＵ１１には、前記記憶装置１２、カードスロット５、キー入力装置２、表示装置３、タブレット装置４が接続される他に、種々のデータが書き込まれまた読み出される作業用記憶装置としてのＲＡＭ１３などが接続される。
【００１８】
このＷｅｂページダウンロード端末１０の記憶装置１２には、当該ダウンロード端末１０の全体の動作を司る端末システムプログラムや通信カード６を介して通信ネットワークＮ上の各コンピュータ端末とデータ通信するための通信プログラムが記憶される他に、ＯＮキー２ａの操作時間に応じて異なる種類のアプリケーションを起動させ動作モードの設定を図るためのオンキー処理プログラム（図７参照）、ＲＡＭ１３に記憶されて蓄積されているＷｅｂページデータを選択的に読み出して表示させるための取り込みＷｅｂページ閲覧処理プログラム（図８参照）、ＲＡＭ１３に未取得となっているリンク先Ｗｅｂページデータを一括ダウンロードして取得するための一括ダウンロード処理プログラム（図９参照）などが記憶される。
【００１９】
図３は前記Ｗｅｂページダウンロード端末１０におけるＲＡＭ１３内の一部のデータメモリを示す図である。
【００２０】
ＲＡＭ１３には、Ｗｅｂデータ管理情報メモリ１３ａ、Ｗｅｂデータメモリ１３ｂ、未取得リンク先情報メモリ１３ｃなどのワークメモリが備えられる。
【００２１】
Ｗｅｂデータ管理情報メモリ１３ａには、インターネット（Ｎ）上のＷｅｂサイト（Ｗｅｂサーバ）２０からダウンロードされたＷｅｂページ情報それぞれのＵＲＬアドレス、対応ＨＴＭＬファイルのＷｅｂデータメモリ１３ｂ内での記憶位置、ページタイトル、そして、該当Ｗｅｂページがリンク付けされている上位ページのＵＲＬアドレスが記憶管理される。
【００２２】
Ｗｅｂデータメモリ１３ｂには、前記Ｗｅｂデータ管理情報メモリ１３ａにおいて管理されている各Ｗｅｂページ情報に対応するＨＴＭＬファイル１３b1，１３b2，…が記憶蓄積される。
【００２３】
未取得リンク先情報メモリ１３ｃには、インターネット（Ｎ）に接続されてないオフラインの状態でのＷｅｂページの閲覧中に当該閲覧Ｗｅｂページ上で指定されたリンク先のＷｅｂページが前記Ｗｅｂデータ管理情報メモリ１３ａにて記憶管理されてない場合に、その指定リンク先ＷｅｂページのＵＲＬアドレス、リンク付けされた閲覧中Ｗｅｂページの上位ＵＲＬアドレス、そして任意入力されて設定されたユーザ入力タイトルなどが記憶される。
【００２４】
図４は前記Ｗｅｂページダウンロード端末１０の取り込みＷｅｂページ閲覧処理に伴うＷｅｂページの閲覧表示状態を示す図であり、同図（Ａ）は「旅行案内」のＷｅｂページＷ１とこれにリンク付けされた「信濃温泉」のＷｅｂページＷ２が表示されたＷｅｂページ閲覧画面Ｇ１を示す図、同図（Ｂ）は「おすすめプラン」のリンク先Ｗｅｂページが保存されてない場合の未取得通知メッセージウインドウＭ１が表示されたＷｅｂページ閲覧画面Ｇ１を示す図である。
【００２５】
すなわち、図４（Ａ）に示すように、ＲＡＭ１３内に既にダウンロードされて保存された「旅行案内」のＷｅｂページＷ１と共に、そのリンク先の「信濃温泉」のＷｅｂページＷ２が重ねて表示されたＷｅｂページ閲覧画面Ｇ１にあって、例えば「おすすめプラン」へのリンクを指定した際に、当該指定リンク先の「おすすめプラン」のＷｅｂ情報がＲＡＭ１３内に管理保存されてない場合には、図４（Ｂ）に示すように、当該指定リンク先Ｗｅｂ情報が未取得であること及びそのＷｅｂ情報保存の必要の有無を促す未取得通知メッセージウインドウＭ１が表示される。
【００２６】
図５は前記Ｗｅｂページダウンロード端末１０の取り込みＷｅｂページ閲覧処理に伴い初期表示される取り込みＷｅｂ情報一覧画面Ｇ２を示す図である。
【００２７】
この取り込みＷｅｂ情報一覧画面Ｇ２では、ＲＡＭ１３内に管理保存されている各Ｗｅｂページのタイトルがそれぞれそのリンクの階層に従い関係付けられて表示されるもので、この場合、前記未取得通知メッセージウインドウＭ１での操作に応じた未取得リンク先の保存に従い新たに取得されたＷｅｂページのタイトルは、アンダーラインによる強調表示Ｈとして表示される。
【００２８】
図６は前記Ｗｅｂページダウンロード端末１０の取り込みＷｅｂページ閲覧処理に伴い指定リンク先Ｗｅｂページが保存されてない場合の未取得通知及びファイル名設定メッセージウインドウＭ２を示す図である。
【００２９】
この前記Ｗｅｂページ閲覧画面Ｇ１において、指定リンク先のＷｅｂページが保存されてない場合に、この未取得通知及びファイル名設定メッセージウインドウＭ２を表示させることで、新たに取得する当該指定リンク先のＷｅｂページのタイトルを任意に設定することができる。
【００３０】
次に、前記構成によるＷｅｂページダウンロード端末１０の動作について説明する。
【００３１】
図７は前記Ｗｅｂページダウンロード端末１０におけるオンキー処理を示すフローチャートである。
【００３２】
このＷｅｂページダウンロード端末１０の電源投入に伴い、キー入力装置２のＯＮキー２ａが押下操作されると（ステップＳ１）、電子回路の各部に駆動電源が供給されて当該端末機器のオン処理が成されると共に（ステップＳ２）、前記ＯＮキー２ａの連続押下操作時間を計時するためのタイマカウント処理が開始される（ステップＳ３）。
【００３３】
そして、前記ＯＮキー２ａの連続押下操作が解除されたか否か検知判断されるのと共に（ステップＳ４）、当該ＯＮキー２ａの押下操作が継続していると判断される状態では（ステップＳ４「Ｎｏ」）、前記タイマカウント処理により得られるＯＮキー連続操作時間に応じて異なるアプリケーションの動作モードを起動させるためのアプリメニュー画面が表示される（ステップＳ５）。
【００３４】
すなわち、例えばＯＮキー２ａの連続操作時間が１秒を経過すると、インターネット（Ｎ）にオンラインで接続してＷｅｂページの閲覧を行うブラウザ処理のアプリケーションを起動させるための初期メニュー画面が表示され、また、ＯＮキー２ａの連続操作時間が２秒を経過すると、インターネット（Ｎ）にオフラインで前記ＲＡＭ１３内に取り込み済みのＷｅｂページの閲覧を行う取り込みＷｅｂページ閲覧処理のアプリケーションを起動させるための初期メニュー画面が表示され、さらに、ＯＮキー２ａの連続操作時間が３秒を経過すると、メール処理のアプリケーションを起動させるための初期メニュー画面が表示される。
【００３５】
このように、電源投入に伴いＯＮキー２ａの操作時間を適宜調整することで、ユーザ所望のアプリケーションの動作モードを容易に選んで起動させることができる。
【００３６】
図８は前記Ｗｅｂページダウンロード端末１０における取り込みＷｅｂページ閲覧処理を示すフローチャートである。
【００３７】
前記オンキー処理に従って、図８における取り込みＷｅｂページ閲覧処理が起動されると、ＲＡＭ１３内のＷｅｂデータ管理情報メモリ１３ａに記憶されている保存済みの各Ｗｅｂ情報のタイトルとそのリンク関係（該当ＵＲＬ：上位ＵＲＬ）が読み出され（ステップＡ１）、取り込みＷｅｂ情報一覧画面Ｇ２（図５参照）として表示装置３に表示される（ステップＡ２）。
【００３８】
この取り込みＷｅｂ情報一覧画面Ｇ２にあって、閲覧所望のＷｅｂ情報のタイトルが選択操作されると（ステップＡ３）、当該選択操作により指定されたＷｅｂ情報のタイトルに対応するＨＴＭＬファイル１３bnが同ＲＡＭ１３内のＷｅｂデータメモリ１３ｂから読み出され（ステップＡ４）、例えば図４（Ａ）における「旅行案内」のＷｅｂページＷ１のみが表示された、Ｗｅｂページ閲覧画面Ｇ１が表示される（ステップＡ５）。
【００３９】
そして、この「旅行案内」のＷｅｂページＷ１が表示された、Ｗｅｂページ閲覧画面Ｇ１にあって、当該「旅行案内」が選択操作されてその内容のＷｅｂ情報へのリンクが指定されると（ステップＡ６）、この指定リンク先である「旅行案内」の内容のＷｅｂ情報のＵＲＬがＷｅｂデータ管理情報メモリ１３ａに記憶管理されているか否か判断される（ステップＡ７）。
【００４０】
ここで、指定リンク先である「旅行案内」の内容のＷｅｂ情報のＵＲＬがＷｅｂデータ管理情報メモリ１３ａに記憶管理されていると判断された場合には、当該Ｗｅｂデータ管理情報メモリ１３ａ内のリンク先ＵＲＬに対応する記憶位置情報に従い、Ｗｅｂデータメモリ１３ｂから対応するＷｅｂページデータが読み出され（ステップＡ７→Ａ８）、例えば図４（Ａ）に示すように、「旅行案内」のＷｅｂページＷ１にその内容「信濃温泉おすすめプラン／片品温泉ゴルフパック」のＷｅｂページＷ２が重ねて表示された、Ｗｅｂページ閲覧画面Ｇ１が表示される（ステップＡ５）。
【００４１】
そしてさらに、この「信濃温泉おすすめプラン／片品温泉ゴルフパック」のＷｅｂページＷ２が表示されたＷｅｂページ閲覧画面Ｇ１にあって、例えば「おすすめプラン」へのリンクが選択操作された際に（ステップＡ６）、当該指定リンク先である「おすすめプラン」の内容のＷｅｂ情報のＵＲＬがＷｅｂデータ管理情報メモリ１３ａに記憶管理されていないと判断された場合には（ステップＡ７）、図４（Ｂ）に示すように、リンク先Ｗｅｂページが保存されてない場合の確認メッセージである未取得通知メッセージウインドウＭ１が表示される（ステップＡ９）。
【００４２】
この未取得通知メッセージウインドウＭ１の表示状態にあって、前記Ｗｅｂデータ管理情報メモリ１３ａに記憶管理されていない指定リンク先である「おすすめプラン」の内容のＷｅｂ情報の保存を希望する場合に、当該メッセージウインドウＭ１の保存（Ｙ）が選択操作されると（ステップＡ１０）、その指定リンク先のＵＲＬ及び上位ＵＲＬ（この場合は「信濃温泉」のＷｅｂ情報のＵＲＬ）がＲＡＭ１３内の未取得リンク先情報メモリ１３ｃに記憶される（ステップＡ１１）。
【００４３】
なお、前記リンク先Ｗｅｂページが保存されてない場合の確認メッセージである未取得通知メッセージウインドウＭ１は、例えば図６に示すように、未取得通知及びファイル名設定メッセージウインドウＭ２として表示させる構成としてもよい。
【００４４】
すなわち、この未取得通知及びファイル名設定メッセージウインドウＭ２を表示させる構成とすれば、新たに取得する当該指定リンク先のＷｅｂページのタイトルを任意に設定することができ、前記未取得リンク先情報メモリ１３ｃに対して、指定リンク先のＵＲＬ及び上位ＵＲＬと共に、当該任意設定されたユーザ入力タイトルが記憶される。
【００４５】
このように、取り込みＷＥｂページ閲覧処理によって、ＲＡＭ１３内に既に取り込み済みの各Ｗｅｂページを選択的に表示閲覧している状態で、指定リンク先のＷｅｂページデータが取得保存されていない場合には、そのリンク先Ｗｅｂページが保存されてない確認メッセージである未取得通知メッセージウインドウＭ１が表示されるのと共に、この未取得通知メッセージウインドウＭ１において「保存（Ｙ）」を選択操作することで、当該未取得となっている指定リンク先Ｗｅｂページへのリンク情報が未取得リンク先情報メモリ１３ｃに記憶されるようになる。
【００４６】
図９は前記Ｗｅｂページダウンロード端末１０における未取得リンク先情報に従った対応Ｗｅｂ情報の一括ダウンロード処理を示すフローチャートである。
【００４７】
例えばカードスロット５に装着された通信カード６によりインターネット（Ｎ）への接続が可能な無線ＬＡＮの通信可能範囲内に当該Ｗｅｂページダウンロード端末１０が移動位置するようになることで、インターネット（Ｎ）との接続が可能になったと判断された場合には（ステップＢ１）、当該通信カード６を介してインターネット（Ｎ）と接続される（ステップＢ２）。
【００４８】
すると、ＲＡＭ１３内の未取得リンク先情報メモリ１３ｃに記憶されている未取得リンク先ＷｅｂページのＵＲＬに従い、インターネット（Ｎ）上の対応するＷｅｂサーバ２０へとアクセスされ（ステップＢ３）、そのＷｅｂページデータのＨＴＭＬファイル１３bnがダウンロードされてＷｅｂデータメモリ１３ｂに保存されると共に、当該Ｗｅｂデータメモリ１３ｂ上での記憶位置及びＵＲＬアドレス及び上位ＷｅｂページデータのＵＲＬアドレスがＷｅｂデータ管理情報メモリ１３ａに保存される（ステップＢ４）。
【００４９】
これにより、例えば前記図４（Ｂ）で示したように、指定リンク先のＷｅｂページデータが存在しない場合に、ユーザの希望により未取得リンク先情報メモリ１３ｃに記憶された未取得リンク先のＷｅｂ情報が、それぞれ対応するＷｅｂサーバ２０…にアクセスされて取得され、ＲＡＭ２０内に一括して保存蓄積されるようになる（ステップＢ５→Ｂ３〜Ｂ５）。
【００５０】
よって、この後の取り込みＷｅｂページ閲覧処理における取り込みＷｅｂ情報一覧画面Ｇ２（図５参照）の表示処理（ステップＡ１，Ａ２）では、前記一括ダウンロード処理（図９参照）により新たに取得保存されたリンク先Ｗｅｂページのタイトルが強調表示Ｈによって示され、前回の取り込みＷｅｂページ閲覧処理において未取得リンク先Ｗｅｂページとして閲覧できなかった情報が、閲覧可能として報知される。
【００５１】
そして、インターネット（Ｎ）との接続不可能な通信可能範囲外でのオフライン状態であっても、所望のリンク先Ｗｅｂページまで表示させて閲覧できるようになる。
【００５２】
なお、このＷｅｂページダウンロード端末１０における一括ダウンロード処理としては、例えば通信トラフィックの少ない深夜などの設定時間帯に、そのＷｅｂサイトへ自動的にオンラインアクセスして未取得リンク先の対応Ｗｅｂページデータを取り込んで蓄積するようにしたＷｅｂ巡回ソフトを利用してもよい。
【００５３】
したがって、前記構成のＷｅｂページダウンロード端末１０によれば、通信カード６を介してオンライン接続されたインターネット（Ｎ）上のＷｅｂサーバ２０…とのアクセスによりダウンロードされたＷｅｂページデータがＲＡＭ１３に保存蓄積され、このＲＡＭ１３に保存された各Ｗｅｂページデータがインターネット（Ｎ）とオフラインでの取り込みＷｅｂページ閲覧処理において選択的に表示閲覧される状態で、そのＷｅｂページ閲覧画面Ｇ１において指定されたリンク先のＷｅｂ情報が前記ＲＡＭ１３に保存されてない場合には、当該指定リンク先へのリンク情報（ＵＲＬ）が未取得リンク先情報（１３ｃ）として記憶され、再びインターネット（Ｎ）とのオンライン接続が可能になった際に、前記未取得リンク先情報（１３ｃ）に対応するＷｅｂページデータが対応するＷｅｂサーバ２０…から一括してダウンロードされ前記ＲＡＭ１３に記憶されるので、例えば無線ＬＡＮによる限定的エリア内でのみネット接続可能な端末装置にあっても、ユーザにはストレスなく希望のリンク先Ｗｅｂページデータを取り込み保存しておくことができ、オフラインでのＷｅｂページ閲覧によっても所望のＷｅｂ情報を取得できるようになる。
【００５４】
また、前記構成のＷｅｂページダウンロード端末１０によれば、前記オフラインでの取り込みＷｅｂページ閲覧中にあって、指定リンク先のＷｅｂ情報がＲＡＭ１３に保存されてない場合には、その確認メッセージである未取得通知メッセージウインドウＭ１を表示させて当該Ｗｅｂ情報保存の有無の選択をユーザに促し、この未取得通知メッセージウインドウＭ１において「保存（Ｙ）」の選択操作が為された場合にのみ、前記未取得リンク先情報（１３ｃ）として記憶し、ネット接続可能時の一括ダウンロードによる取り込み保存が行われるので、ユーザが本当に必要とするＷｅｂ情報のみをオフラインでも閲覧可能なＷｅｂ蓄積情報として保存することができる。
【００５５】
また、前記構成のＷｅｂページダウンロード端末１０によれば、前記指定リンク先Ｗｅｂページが保存されてない場合の確認メッセージである未取得通知メッセージウインドウＭ１を、未取得通知及びファイル名設定メッセージウインドウＭ２として表示させることで、新たに取得する当該指定リンク先のＷｅｂページデータのタイトルを任意に設定できるようになる。
【００５６】
また、前記構成のＷｅｂページダウンロード端末１０によれば、オンライン接続時のダウンロードによってＲＡＭ１３内に蓄積された各Ｗｅｂページデータは、前記オフラインでの取り込みＷｅｂページ閲覧処理において、各Ｗｅｂページのタイトルをそのリンク関係に従って一覧表示する取り込みＷｅｂ情報一覧画面Ｇ２として表示されるので、ユーザが取り込みＷｅｂページの閲覧を行うに際しては、新たにダウンロードされ保存されたｗｅｂ情報などを容易に確認でき表示閲覧できるようになる。
【００５７】
なお、前記実施形態において記載したＷｅｂページダウンロード端末１０による各処理の手法、すなわち、図７のフローチャートに示すＯＮキー２ａの操作時間に応じて各種のアプリケーションを選択的に起動させるためのオンキー処理、図８のフローチャートに示すオフラインでの取り込みＷｅｂページ閲覧処理、図９のフローチャートに示す前記取り込みＷｅｂページ閲覧処理にて保存指定された未取得Ｗｅｂページデータの一括ダウンロード処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１２ａに格納して配布することができる。そして、通信ネットワーク（インターネット）Ｎとの通信機能を備えた種々のコンピュータ端末は、この外部記録媒体１２ａに記憶されたプログラムを記憶装置１２に読み込み、この読み込んだプログラムによって動作が制御されることにより、前記実施形態において説明したＷｅｂ情報取得・閲覧機能を実現し、前述した手法による同様の処理を実行することができる。
【００５８】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述したＷｅｂ情報取得・閲覧機能を実現することもできる。
【００５９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６０】
【発明の効果】
以上のように、本発明に係る情報端末装置によれば、通信手段によるネットワークとの非接続通信状態において、Ｗｅｂデータ記憶手段により記憶されたＷｅｂページが表示されるＷｅｂページの表示閲覧中に、他のＷｅｂページへのリンク情報が指定されたと判断された場合には、当該指定のリンク情報に対応するＷｅｂページデータが前記Ｗｅｂデータ記憶手段により記憶されているか否かが判断される。そして、指定のリンク情報に対応するＷｅｂページデータが前記Ｗｅｂデータ記憶手段により記憶されてないと判断された場合には、当該Ｗｅｂページデータを取得するか否かを装置ユーザに確認し、このＷｅｂページデータを取得することが装置ユーザに確認された場合に、当該取得対象のＷｅｂページデータに対応するファイル名を装置ユーザに入力させ、この入力されたファイル名と共に当該指定のリンク情報が指定リンク情報記憶手段により記憶される。すると、前記通信手段によるネットワークとの接続通信状態において、前記指定リンク情報記憶手段により記憶されたリンク情報に対応するＷｅｂページデータが取得され前記Ｗｅｂデータ記憶手段により記憶されるので、閲覧所望のＷｅｂページはネット接続可能なときにストレスなく取得され、非接続通信状態で閲覧できるようになる。
【００６１】
よって、オフラインでのＷｅｂページ閲覧中に、リンク先Ｗｅｂページが保存されてない場合でも、ユーザにストレスを与えることなく、指定のリンク先Ｗｅｂページを取得して閲覧することが可能になる。
【図面の簡単な説明】
【図１】本発明の情報端末装置の実施形態に係るＷｅｂページダウンロード端末１０の外観構成を示す図。
【図２】前記Ｗｅｂページダウンロード端末１０の電子回路の構成を示すブロック図。
【図３】前記Ｗｅｂページダウンロード端末１０におけるＲＡＭ１３内の一部のデータメモリを示す図。
【図４】前記Ｗｅｂページダウンロード端末１０の取り込みＷｅｂページ閲覧処理に伴うＷｅｂページの閲覧表示状態を示す図であり、同図（Ａ）は「旅行案内」のＷｅｂページＷ１とこれにリンク付けされた「信濃温泉」のＷｅｂページＷ２が表示されたＷｅｂページ閲覧画面Ｇ１を示す図、同図（Ｂ）は「おすすめプラン」のリンク先Ｗｅｂページが保存されてない場合の未取得通知メッセージウインドウＭ１が表示されたＷｅｂページ閲覧画面Ｇ１を示す図。
【図５】前記Ｗｅｂページダウンロード端末１０の取り込みＷｅｂページ閲覧処理に伴い初期表示される取り込みＷｅｂ情報一覧画面Ｇ２を示す図。
【図６】前記Ｗｅｂページダウンロード端末１０の取り込みＷｅｂページ閲覧処理に伴い指定リンク先Ｗｅｂページが保存されてない場合の未取得通知及びファイル名設定メッセージウインドウＭ２を示す図。
【図７】前記Ｗｅｂページダウンロード端末１０におけるオンキー処理を示すフローチャート。
【図８】前記Ｗｅｂページダウンロード端末１０における取り込みＷｅｂページ閲覧処理を示すフローチャート。
【図９】前記Ｗｅｂページダウンロード端末１０における未取得リンク先情報に従った対応Ｗｅｂ情報の一括ダウンロード処理を示すフローチャート。
【符号の説明】
１  …本体ケース
２  …キー入力部（キー入力装置）
２ａ…ＯＮ（電源）キー
２ｂ…モードキー
２ｃ…ポインタキー
２ｄ…選択／実行キー
３  …表示部（表示装置）
４  …タブレット装置
５  …カードスロット
６  …通信カード
１０…Ｗｅｂページダウンロード端末
１１  …ＣＰＵ(central processing unit)
１２  …記憶装置
１２ａ…外部記録媒体
１３  …ＲＡＭ
１３ａ…Ｗｅｂデータ管理情報メモリ
１３ｂ…Ｗｅｂデータメモリ
１３bn…ＨＴＭＬファイル
１３ｃ…未取得リンク先情報メモリ
２０  …Ｗｅｂサーバ（Ｗｅｂサイト）
Ｎ  …通信ネットワーク（インターネット）
Ｇ１…Ｗｅｂページ閲覧画面
Ｇ２…取り込みＷｅｂ情報一覧画面
Ｗｎ…Ｗｅｂページ
Ｍ１…未取得通知メッセージウインドウ
Ｍ２…未取得通知及びファイル名設定メッセージウインドウ
Ｈ  …強調表示
【図１】
0004102917.tif 000002
【図２】
0004102917.tif 000003
【図３】
0004102917.tif 000004
【図４】
0004102917.tif 000005
【図５】
0004102917.tif 000006
【図６】
0004102917.tif 000007
【図７】
0004102917.tif 000008
【図８】
0004102917.tif 000009
【図９】
0004102917.tif 000010